(57)【要約】静脈カテーテルの閉塞を検出するためのシステムは、ハウジングを含んでよく、ハウジングは、カテーテルアダプタの近位端に結合するように構成された遠位端と、流体経路を形成する内腔とを含んでよい。このシステムは、波送信機と、流体経路内に配置されたトランスデューサと、トランスデューサに結合されたプロセッサと、プロセッサに結合されたインジケータユニットとを含んでもよい。波送信機は、カテーテルアダプタの静脈カテーテルの長さに沿ってエネルギー波を送信してよい。プロセッサは、静脈カテーテルから反射されて返されたエネルギー波の部分に対応する電気信号を受信してよく、電気信号とベースライン信号との間の差異を決定してよい。電気信号とベースライン信号との間の差異が閾値を満たすことに応答して、インジケータユニットはユーザに警告してよい。
2020512873.tif 000002
【特許請求の範囲】
【請求項１】
静脈カテーテルの閉塞を検出する方法であって、
静脈カテーテルを提供するステップと、
ハウジングを前記静脈カテーテルに結合するステップであって、前記ハウジングは超音波トランスデューサを備える、該ステップと、
前記超音波トランスデューサを介して、前記カテーテルの長さに沿って超音波を送信するステップと、
前記超音波トランスデューサを介して、前記静脈カテーテルから反射されて返された前記超音波の部分を、対応する電気信号に変換するステップと、
前記超音波トランスデューサに結合されたプロセッサで前記電気信号を受信するステップと、
前記電気信号をベースライン信号と比較して、前記電気信号と前記ベースライン信号との間の差異を決定するステップと、
前記電気信号と前記ベースライン信号との間の前記差異が閾値を満たすことに応答して、ユーザに警告するステップと
を含むことを特徴とする方法。
【請求項２】
前記超音波トランスデューサは、前記ハウジングの壁に封入されることを特徴とする請求項１に記載の方法。
【請求項３】
前記超音波トランスデューサは圧電素子を含むことを特徴とする請求項１に記載の方法。
【請求項４】
前記ベースライン信号を決定するステップをさらに含み、前記ベースライン信号を決定するステップは、前記静脈カテーテルが閉塞されていないとき、前記超音波トランスデューサを介して、前記静脈カテーテルの前記長さに沿って他の超音波を送信するステップと、前記静脈カテーテルから反射されて返された前記他の超音波の部分を、前記ベースライン信号に変換するステップとを含むことを特徴とする請求項１に記載の方法。
【請求項５】
前記ベースライン信号を決定するステップは、
前記超音波トランスデューサを介して、カテーテルアダプタの前記静脈カテーテルの前記長さに沿って前記超音波を送信するステップと、前記静脈カテーテルから反射されて返された前記超音波の前記部分を、前記対応する電気信号に変換するステップと
の前に行われることを特徴とする請求項４に記載の方法。
【請求項６】
前記静脈カテーテルの遠位先端部の外表面は、複数のファセットを含むことを特徴とする請求項１に記載の方法。
【請求項７】
前記静脈カテーテルの内腔を形成する壁は、導入針と接触するように構成された静脈カテーテルの遠位先端部の部分から近位方向に延びる１つまたは複数の内側湾曲部分を含むことを特徴とする請求項１に記載の方法。
【請求項８】
前記静脈カテーテルの前記内腔を形成する壁は、複数のファセットを含むことを特徴とする請求項１に記載の方法。
【請求項９】
静脈カテーテルの閉塞を検出するためのシステムであって、
カテーテルアダプタの静脈カテーテルの長さに沿ってエネルギー波を送信する波送信機と、
トランスデューサを備えるハウジングであって、前記トランスデューサは、前記静脈カテーテルから反射されて返された前記エネルギー波に対応するエネルギー波の部分を検出する、該ハウジングと、
前記トランスデューサに結合されたプロセッサであって、前記静脈カテーテルから反射されて返された前記エネルギー波の前記部分に対応する電気信号を受信し、前記電気信号をベースライン信号と比較して前記電気信号と前記ベースライン信号との間の差異を決定する、該プロセッサと、
前記プロセッサに結合されたインジケータユニットであって、前記電気信号と前記ベースライン信号との間の前記差異が閾値を満たすことに応答してユーザに警告する、該インジケータユニットと
を備えたことを特徴とするシステム。
【請求項１０】
前記トランスデューサは超音波トランスデューサを含み、前記超音波トランスデューサは、前記静脈カテーテルから反射されて返された前記エネルギー波の前記部分を前記電気信号に変換し、前記エネルギー波は超音波であることを特徴とする請求項９に記載のシステム。
【請求項１１】
前記超音波トランスデューサは圧電結晶を含み、前記圧電結晶は前記内腔の壁に埋め込まれたことを特徴とする請求項１０に記載のシステム。
【請求項１２】
前記カテーテルアダプタをさらに備え、前記静脈カテーテルは前記カテーテルアダプタから遠位方向に延び、流体経路は前記静脈カテーテルの内腔を通じて延びたことを特徴とする請求項９に記載のシステム。
【請求項１３】
静脈カテーテルの閉塞を検出するための方法であって、
カテーテルアダプタの静脈カテーテルの長さに沿ってエネルギー波を送信するステップと、
前記静脈カテーテルから反射されて返された前記エネルギー波の部分を、対応する電気信号に変換するステップと、
プロセッサで前記電気信号を受信するステップと、
前記電気信号をベースライン信号と比較して、前記電気信号と前記ベースライン信号との間の差異を決定するステップと、
前記電気信号と前記ベースライン信号との間の前記差異が閾値を満たすことに応答して、ユーザに警告するステップと
を含むことを特徴とする方法。
【請求項１４】
ハウジングと前記ハウジング内に配置されたトランスデューサとを提供するステップをさらに含み、前記トランスデューサは、前記静脈カテーテルから反射されて返された前記エネルギー波の前記部分を、前記対応する電気信号に変換することを特徴とする請求項１３に記載の方法。
【請求項１５】
前記トランスデューサは、前記内腔の壁に埋め込まれることを特徴とする請求項１４に記載の方法。
【請求項１６】
カテーテルアダプタを前記ハウジングに結合するステップをさらに含み、前記静脈カテーテルは前記カテーテルアダプタから遠位方向に延び、流体経路は前記静脈カテーテル、前記カテーテルアダプタ、および前記ハウジングを通じて延びたことを特徴とする請求項１４に記載の方法。
【請求項１７】
前記静脈カテーテルの遠位先端部の外表面は、複数のファセットを含むことを特徴とする請求項１３に記載の方法。
【請求項１８】
前記ベースライン信号を決定するステップをさらに含み、前記ベースライン信号を決定するステップは、前記静脈カテーテルが閉塞されていないとき、前記静脈カテーテルの前記長さに沿って他のエネルギー波を送信するステップと、前記静脈カテーテルから反射されて返された前記他のエネルギー波の部分を、前記ベースライン信号に変換するステップとを含むことを特徴とする請求項１３に記載の方法。
【請求項１９】
前記ベースライン信号を決定するステップは、
前記カテーテルアダプタの前記静脈カテーテルの前記長さに沿って前記エネルギー波を送信するステップと、前記静脈カテーテルから反射されて返された前記エネルギー波の前記部分を、前記対応する電気信号に変換するステップと
の前に行われることを特徴とする請求項１３に記載の方法。
【請求項２０】
電磁波トランスデューサを提供するステップをさらに含み、前記トランスデューサは、前記静脈カテーテルから反射されて返された前記エネルギー波の前記部分を検出するように構成され、前記エネルギー波は電磁波であることを特徴とする請求項１３に記載の方法。
【発明の詳細な説明】
【技術分野】
【０００１】
本発明は、カテーテル閉塞を検出するためのシステムおよび方法に関する。
【背景技術】
【０００２】
いくつかの例において、末梢ＩＶカテーテルを含む静脈（ＩＶ）カテーテルが、カテーテルを使用する注入または採血の完了前に使用不能になるまたは損傷することがある。カテーテルが使用不能になることがある１つの理由は、時間経過に伴うカテーテルの閉塞による場合がある。カテーテルが閉塞されていることに対応して、カテーテルは除去されて新しいカテーテルと交換されることが必要な場合がある。カテーテル閉塞は、カテーテルの遠位先端部内または遠位先端部を取り囲む血栓の形成に由来する血栓性である場合がある。カテーテル閉塞は、沈殿物、機械的閉塞、および他の因子に由来する非血栓性である場合もある。さらに、カテーテル閉塞は、肺塞栓症、血栓後症候群、および他の負の健康転帰につながる場合がある。
【０００３】
したがって、当技術分野において、カテーテル閉塞の早期インジケーションを提供し、古い静脈ラインが患者に対して無効または危険になる前に臨床医が新しい静脈ラインを確立することを可能にする装置、システム、および方法が必要である。本開示において、そのような装置、システム、および方法が開示される。
【発明の概要】
【課題を解決するための手段】
【０００４】
本開示は一般に、ＩＶカテーテル閉塞の検出に関する。特に、本開示は、ＩＶカテーテル閉塞を検出するための装置、システム、および関連付けられた方法に関する。いくつかの実施形態において、静脈カテーテルの閉塞を検出するためのシステムは、ハウジングを含んでよく、ハウジングは、遠位端と、近位端と、流体経路を形成する内腔とを含んでよい。いくつかの実施形態において、内腔は、ハウジングの遠位端と近位端との間に延びてよい。
【０００５】
いくつかの実施形態において、システムはカテーテルアダプタを含んでよい。いくつかの実施形態において、カテーテルは、カテーテルアダプタの遠位端から遠位方向に延びてよい。いくつかの実施形態において、流体経路は、カテーテルの内腔、およびカテーテルアダプタを通じて延びてよい。いくつかの実施形態において、ハウジングの遠位端は、カテーテルアダプタの近位端に結合するように構成されてよい。いくつかの実施形態において、ハウジングは、カテーテルアダプタと一体的に形成されてよく、および／またはカテーテルアダプタの部分を含んでよく、もしくはカテーテルアダプタの部分に相当してよい。
【０００６】
いくつかの実施形態において、ハウジングは、１つまたは複数の波送信機を含んでよく、１つまたは複数の波送信機は、カテーテルアダプタのカテーテルの長さに沿って電磁波またはエネルギー波を送信してよい。いくつかの実施形態において、ハウジングは、１つまたは複数のトランスデューサを含んでよく、１つまたは複数のトランスデューサは、カテーテルから反射されて返されたエネルギー波の部分を検出してよい。いくつかの実施形態において、１つまたは複数のトランスデューサは、カテーテルから反射されて返されたエネルギー波の部分を１つまたは複数のトランスデューサが検出することを可能にするハウジング内の任意の位置に配置されてよい。いくつかの実施形態において、１つまたは複数の送信機が、カテーテルの長さに沿ってそれらがエネルギー波を送信することを可能にするハウジング内の任意の位置に配置されてよい。いくつかの実施形態において、１つまたは複数のトランスデューサは、ハウジングの内腔の壁に埋め込まれまたは封入されてよい。いくつかの実施形態において、１つまたは複数のトランスデューサは、流体経路において配置されてよく、流体経路内に一部が配置されてよく、または、緩衝要素、例えば、膜、コーティング、接着剤、もしくは他の適切な要素などによって、流体経路から分離されてよい。
【０００７】
いくつかの実施形態において、システムは、プロセッサを含んでよく、プロセッサは、１つまたは複数のトランスデューサに結合されてよい。いくつかの実施形態において、プロセッサは、カテーテルから反射されて返されたエネルギー波の部分に対応する電気信号を受信してよい。いくつかの実施形態において、プロセッサは、電気信号をベースライン電気信号と比較して、電気信号とベースライン電気信号との間の差異を決定してよい。
【０００８】
いくつかの実施形態において、システムは、インジケータユニットを含んでよく、インジケータユニットは、プロセッサに結合されてよい。いくつかの実施形態において、インジケータユニットは、電気信号とベースライン電気信号との間の差異が閾値を満たすことに応答して、ユーザに警告してよい。例えば、インジケータユニットは、アラームを鳴らしおよび／または警告メッセージを生成してよく、それらは、ユーザに対して表示されおよび／または音声的に伝達されてよい。
【０００９】
いくつかの実施形態において、１つまたは複数の波送信機は、超音波を送信する超音波送信機を含んでよい。いくつかの実施形態において、１つまたは複数の波送信機は、音波を送信する音波送信機を含んでよい。いくつかの実施形態において、１つまたは複数の波送信機は、電波、マイクロ波、赤外線、可視光、紫外線、Ｘ線、またはガンマ線を含む電磁波を送信する電磁波送信機を含んでよい。いくつかの実施形態において、電磁波送信機は、不可視光線を発する例えば赤外線レーザまたは紫外線レーザなどの不可視光源を含んでよい。いくつかの実施形態において、電磁波送信機は、可視光線を発する例えばＨｅ−Ｎｅレーザなどの可視光源を含んでよい。
【００１０】
いくつかの実施形態において、１つまたは複数のトランスデューサは各々が、カテーテルから反射された超音波を検出してよい超音波トランスデューサを含んでよい。いくつかの実施形態において、１つまたは複数のトランスデューサは各々が、カテーテルから反射された音波を検出してよい音波トランスデューサを含んでよい。いくつかの実施形態において、１つまたは複数のトランスデューサは、電磁波トランスデューサを含んでよい。例えば、１つまたは複数のトランスデューサは各々が、カテーテルから反射された光波を検出してよい例えばフォトダイオードなどの光トランスデューサを含んでよい。いくつかの実施形態において、１つまたは複数のトランスデューサは、カテーテルから反射されて返されたエネルギー波の部分を電気信号に変換してよい。
【００１１】
いくつかの実施形態において、１つまたは複数のトランスデューサは各々が、例えば圧電結晶などの圧電素子を含んでよい。いくつかの実施形態において、特定の圧電素子が、カテーテルの長さに沿って超音波を送信してよい。いくつかの実施形態において、同じまたは異なる圧電素子が、カテーテルから反射されて返された超音波の部分を受信し、部分を対応する電気信号に変換してよい。
【００１２】
いくつかの実施形態において、ベースライン電気信号は、カテーテルが開放しているまたは閉塞されていないとき、１つまたは複数の超音波トランスデューサを含んでよい波送信機を介して、カテーテルの長さに沿って他の超音波を送信することと、カテーテルから反射されて返された上記他の超音波の部分を、ベースライン電気信号に変換することとによって決定されてよい。いくつかの実施形態において、ベースライン電気信号は、静脈カテーテルの長さに沿ってエネルギー波を送信すること、および／または静脈カテーテルから反射されて返されたエネルギー波の部分を対応する電気信号に変換することの前に決定されてよい。例えば、ベースライン電気信号は、患者の静脈内へのカテーテルの挿入の直後またはすぐ後に決定されてよい。
【００１３】
いくつかの実施形態において、静脈カテーテルの遠位先端部の外表面がファセットされて１つまたは複数のファセットを含んでよく、それによりエネルギー波の反射を改善してよい。いくつかの実施形態において、カテーテルの内腔を形成する壁がファセットされて１つまたは複数のファセットを含んでよく、それによりエネルギー波の反射を改善してよい。
【図面の簡単な説明】
【００１４】
本発明の上記および他の特徴および利点が容易に理解されるように、上記で簡単に説明されたカテーテル閉塞を検出するためのシステムおよび方法のより詳細な説明が、添付された図面に示されているそれらの特定の実施形態を参照することによって与えられる。これらの図は典型的な実施形態のみを示し、したがって、その範囲を限定すると考えられるべきではないことを理解して、本発明は、添付の図面の使用を通じて追加的な特定性および詳細と共に記述され説明される。
【００１５】
【図１Ａ】いくつかの実施形態に従う、カテーテル閉塞を検出するための例示的システムのブロック図である。
【図１Ｂ】いくつかの実施形態に従うシステムのブロック図である。
【図２Ａ】いくつかの実施形態に従うシステムの分解図である。
【図２Ｂ】いくつかの実施形態に従うシステムの部分の断面図である。
【図２Ｃ】いくつかの実施形態に従うシステムの部分の別の断面図である。
【図２Ｄ】いくつかの実施形態に従うシステムの部分の別の断面図である。
【図２Ｅ】いくつかの実施形態に従うシステムの部分の別の断面図である。
【図３Ａ】いくつかの実施形態に従うシステムの例示的カテーテルの例示的遠位先端部の断面図である。
【図３Ｂ】いくつかの実施形態に従うシステムの例示的カテーテルの別の例示的遠位先端部の断面図である。
【図３Ｃ】いくつかの実施形態に従うシステムの例示的カテーテルの別の例示的遠位先端部の断面図である。
【図３Ｄ】いくつかの実施形態に従うシステムの例示的カテーテルの別の例示的遠位先端部の断面図である。
【図４】いくつかの実施形態に従う、システムを使用してカテーテル閉塞を検出するための例示的方法のブロック図である。
【発明を実施するための形態】
【００１６】
説明される本発明の現在の好ましい実施形態は、図面を参照することによって最もよく理解され、図面では、同様の部分は全体を通じて同様の数字で示される。本明細書の図面で全体的に説明され例示される本発明の構成要素は、様々な異なる構成において配置され設計され得ることは容易に理解されよう。したがって、図１ないし４に示す実施形態の以下のより詳細な説明は、特許請求される本発明の範囲を限定することは意図されず、本発明のいくつかの実施形態を表すにすぎない。
【００１７】
一般に、本開示は、ＩＶカテーテル閉塞または閉塞をもたらすことがあるＩＶカテーテル内の状態の検出に関する。特に、本開示は、ＩＶカテーテル閉塞または閉塞をもたらすことがあるＩＶカテーテル内の状態を検出するためのデバイス、システム、および関連付けられた方法に関する。ここで図１Ａを参照すると、いくつかの実施形態において、自己診断カテーテルアセンブリまたはシステム１００は、波送信機１０２を含んでよく、波送信機１０２は、カテーテルアダプタの静脈カテーテルの長さに沿って電磁波またはエネルギー波を送信してよい。いくつかの実施形態において、波送信機１０２は、カテーテルが閉塞について試験されたとき、カテーテルの長さに沿ってエネルギー波を生成および／または送信してよい。いくつかの実施形態において、カテーテルは、カテーテルが任意の期間患者の静脈内に挿入された後に、閉塞について試験されてよい。
【００１８】
いくつかの実施形態において、システム１００は、１つまたは複数のトランスデューサ１０４を含んでよい。いくつかの実施形態において、波送信機１０２および／またはトランスデューサ１０４は、ハウジングの流体経路にあってよく、流体経路内に一部があってよく、または、緩衝要素、例えば、膜、コーティング、接着剤、もしくは他の適切な要素などによって、流体経路から分離されてよい。いくつかの実施形態において、ハウジングはカテーテルアダプタと結合されてよい。いくつかの実施形態において、ハウジングは、カテーテルアダプタと一体的に形成されてよく、および／またはカテーテルアダプタの部分を含んでよく、もしくはカテーテルアダプタの部分に相当してよい。いくつかの実施形態において、１つまたは複数のトランスデューサ１０４は、カテーテルから反射されて返されたエネルギー波の部分を検出してよい。いくつかの実施形態において、波送信機１０２および／または１つもしくは複数のトランスデューサ１０４は、電源１０６と結合されてよい。いくつかの実施形態において、システム１００はハウジングを含まなくてよい。これらおよび他の実施形態において、１つもしくは複数のトランスデューサ１０４および／または波送信機１０２は、カテーテルアダプタ１２６内に配置されてよい。
【００１９】
いくつかの実施形態において、システム１００は、プロセッサ１０８を含んでよく、プロセッサ１０８は、１つまたは複数のトランスデューサ１０４に結合されてよい。いくつかの実施形態において、プロセッサ１０８は、カテーテルから反射されて返されたエネルギー波の部分に対応する電気信号を受信してよい。いくつかの実施形態において、プロセッサ１０８は、電気信号をベースライン電気信号と比較して、電気信号とベースライン電気信号との間の差異を決定してよい。
【００２０】
いくつかの実施形態において、ベースライン電気信号は、カテーテルが閉塞されていないとき、超音波トランスデューサを含んでよい波送信機１０２を介して、カテーテルの長さに沿って他の超音波を送信することと、カテーテルから反射されて返された上記他の超音波の部分を、ベースライン電気信号に変換することとによって決定されてよい。いくつかの実施形態において、ベースライン電気信号は、カテーテルの長さに沿ってエネルギー波を送信すること、および／またはカテーテルから反射されて返されたエネルギー波の部分を対応する電気信号に変換することの前に決定されてよい。例えば、ベースライン電気信号は、患者の静脈内へのカテーテルの挿入の直後またはすぐ後に決定されてよい。いくつかの実施形態において、ベースライン電気信号は、上記カテーテルと類似または同一の別のカテーテルを使用して決定されてよい。いくつかの実施形態において、上記他の超音波は、上記超音波と等価であってよい。例えば、上記他の超音波と上記超音波は、同じ周波数、振幅などを有してよい。
【００２１】
いくつかの実施形態において、電気信号とベースライン電気信号との差異は、カテーテルが閉塞について試験されたときにカテーテルから反射されて返された超音波の部分と、カテーテルが閉塞されたときに静脈カテーテルから反射されて返された他の超音波の部分との間の振幅および／または周波数の差異に対応してよい。いくつかの実施形態において、電気信号とベースライン電気信号との差異は、カテーテル内の状態変化によるものであってよい。例えば、電気信号とベースライン信号との間のより大きな差異は、カテーテル内の１つまたは複数の血餅の存在に応じて発生することがあるいくつかの実施形態において、差異が大きいほど、カテーテルは閉塞されやすく、または閉塞状態になりやすい。
【００２２】
いくつかの実施形態において、システム１００は、インジケータユニット１１０を含んでよく、インジケータユニット１１０は、プロセッサ１０８に結合されてよい。いくつかの実施形態において、インジケータユニット１１０は、電気信号とベースライン電気信号との間の差異が閾値を満たすことに応答して、ユーザに警告してよい。例えば、インジケータユニット１１０は、アラームを鳴らしおよび／または警告メッセージを生成してよく、それらは、ユーザに対して表示されおよび／または音声的に伝達されてよい。いくつかの実施形態において、アラームおよび／またはメッセージは、カテーテルが新しいカテーテルに変えられるべきことをユーザに対して示してよい。いくつかの実施形態において、インジケータユニット１１０は、ディスプレイを含んでよく、ディスプレイは、システムのハウジングまたは別の要素上に配置されてよく、ユーザに対して警告メッセージを提示するように構成されてよい。いくつかの実施形態において、閾値は、カテーテルの閉塞の可能性、または閉塞をもたらしやすいカテーテル内の血液の状態を示してよい。
【００２３】
いくつかの実施形態において、波送信機１０２は、超音波を送信する超音波送信機を含んでよい。いくつかの実施形態において、波送信機１０２は、音波を送信する音波送信機を含んでよい。いくつかの実施形態において、波送信機１０２は、電波、マイクロ波、赤外線、可視光、紫外線、Ｘ線、またはガンマ線を含む電磁波を送信する電磁波送信機を含んでよい。いくつかの実施形態において、電磁波送信機は、不可視光線を発する例えば赤外線レーザまたは紫外線レーザなどの不可視光源を含んでよい。いくつかの実施形態において、電磁波送信機は、可視光線を発する例えばＨｅ−Ｎｅレーザまたは別の種類のレーザなどの可視光源を含んでよい。
【００２４】
いくつかの実施形態において、１つまたは複数のトランスデューサ１０４は各々が、カテーテルから反射された超音波を検出してよい超音波トランスデューサを含んでよい。いくつかの実施形態において、１つまたは複数のトランスデューサは、電磁波トランスデューサを含んでよい。例えば、１つまたは複数のトランスデューサ１０４は各々が、カテーテルから反射された光波を検出してよい例えばフォトダイオードなどの光トランスデューサを含んでよい。いくつかの実施形態において、１つまたは複数のトランスデューサ１０４は、カテーテルから反射されて返されたエネルギー波の部分を電気信号に変換してよい。
【００２５】
ここで図１Ｂを参照すると、いくつかの実施形態において、図１Ａの１つまたは複数のトランスデューサ１０４は各々が、例えば圧電結晶などの圧電素子１１２を含んでよい。いくつかの実施形態において、１つまたは複数の圧電素子１１２は、波送信機１０２として機能してよい。いくつかの実施形態において、特定の圧電素子１１２が、カテーテルの長さに沿って超音波を送信してよい。いくつかの実施形態において、同じまたは異なる圧電素子１１２が、カテーテルから反射されて返された超音波の部分を受信し、部分を対応する電気信号に変換してよい。
【００２６】
いくつかの実施形態において、システム１００は、信号発生器１１４を含んでよく、信号発生器１１４は、電源１０６、および１つまたは複数の圧電素子に結合されてよい。いくつかの実施形態において、信号発生器１１４は、１つまたは複数の圧電素子を励振してよく、その結果、カテーテルの内腔、および／または流体経路の１つもしくは複数の他の部分にわたって超音波の伝播を生じてよい。超音波の伝播は、流体経路内の流体の振動を提供してよく、それは、カテーテル内の１つまたは複数の凝血塊の存在によって容易に変えられることがある。
【００２７】
ここで図２Ａないし２Ｂを参照すると、いくつかの実施形態において、カテーテル１１６の閉塞を検出するためのシステム１００は、ハウジング１１８を含んでよく、ハウジング１１８は、遠位端１２０と、近位端１２２と、流体経路を形成する内腔１２４とを含んでよい。いくつかの実施形態において、内腔１２４は、ハウジング１１８の遠位端１２０と近位端１２２との間に延びてよい。
【００２８】
いくつかの実施形態において、システム１００はカテーテルアダプタ１２６を含んでよい。いくつかの実施形態において、カテーテル１１６は、カテーテルアダプタ１２６の遠位端１２８から遠位方向に延びてよい。いくつかの実施形態において、流体経路は、カテーテル１１６の内腔１２９およびカテーテルアダプタ１２６の内腔１３１を通じて延びてよく、これらの内腔は連続してよい。いくつかの実施形態において、ハウジング１１８の遠位端１２０は、カテーテルアダプタ１２６の近位端１３０に結合するように構成されてよい。いくつかの実施形態において、カテーテルアダプタ１２６の近位端１３０とハウジング１１８の遠位端１２０とは、一緒にねじ結合されてよい。いくつかの実施形態において、ハウジング１１８の近位端１２２は、ルアー装置１３２を介してＩＶラインを受け入れるように構成されてよく、ルアー装置１３２は、近位端１２２にねじ結合されてよい。
【００２９】
いくつかの実施形態において、システム１００は、１つもしくは複数の圧電素子１１２または１つもしくは複数の他のトランスデューサを含んでよく、それらは、ハウジング１１８の流体経路に配置されてよく、または流体経路におけるエネルギー波を検知することが可能であってよい。いくつかの実施形態において、１つまたは複数の圧電素子１１２は圧電結晶を含んでよい。いくつかの実施形態において、１つもしくは複数の圧電素子１１２または１つもしくは複数の他のトランスデューサは、カテーテル１１６から反射されて返されたエネルギー波の部分を検出してよい。いくつかの実施形態において、１つもしくは複数の圧電素子１１２または１つもしくは複数の他のトランスデューサは、ハウジング１１８の内腔１２４の壁に埋め込まれまたは封入されてよい。いくつかの実施形態において、圧電素子１１２は、図２Ｃに示されるように、障壁または緩衝要素１３３、例えば、膜、コーティング、接着剤、もしくは他の適切な要素などによって、流体経路から分離されてよい。
【００３０】
いくつかの実施形態において、１つまたは複数の圧電素子１１２は、カテーテルアダプタ１２６のカテーテル１１６の長さ全体に沿って、および／またはカテーテル１１６の管腔全体を通じてエネルギー波を送信してよい。したがって、いくつかの実施形態において、１つまたは複数の圧電素子１１２は、図１Ａの波送信機１０２および／または図１Ａの１つもしくは複数のトランスデューサ１０４として機能してよい。いくつかの実施形態において、信号発生器１１４は、ハウジング１１８における開口を通じて延びてよい１つまたは複数のコネクタまたはケーブル１１３を介して、１つまたは複数の圧電素子１１２に電気的に結合されてよい。
【００３１】
ここで図２Ｄを参照すると、いくつかの実施形態において、波送信機１０２は、ハウジング１１８の壁において配置されてよく、エネルギー波は、波送信機１０２から、１つまたは複数の導波路１３５を介して、ハウジング１１８、カテーテルアダプタ１２６、およびカテーテル１１６のうちの１つまたは複数の長さに沿って送信されてよい。これらおよび他の実施形態において、エネルギー波は、赤外線、可視光、紫外光、または他の電磁波を含んでよい。図２Ｄに示されるように、いくつかの実施形態において、導波路１３５は、波送信機１０２からハウジング１１８の壁を通じてハウジング１１８の遠位端に対して延びてよい。いくつかの実施形態において、導波路１３５に沿って移動するエネルギー波は、ハウジングの遠位端に出現し、カテーテルアダプタ１２６および／またはカテーテル１１６を通じて進み続けてよい。いくつかの実施形態において、導波路１３５は、光導波路または光ファイバを含んでよい。
【００３２】
ここで図２Ｅを参照すると、いくつかの実施形態において、波送信機１０２は、ハウジング１１８および／またはカテーテルアダプタ１２６の外部にあってよい。いくつかの実施形態において、エネルギー波は、外部波送信機１０２からハウジング１１８の壁を通じて１つまたは複数の導波路１３５を介して送信されてよい。いくつかの実施形態において、導波路１３５は、ハウジング１１８の壁を通じてハウジングの遠位端に対して延びてよい。いくつかの実施形態において、導波路１３５に沿って移動するエネルギー波は、ハウジングの遠位端に出現し、カテーテルアダプタ１２６および／またはカテーテル１１６を通じて進み続けてよい。ここで図２Ｄと図２Ｅの両方を参照すると、いくつかの実施形態において、１つまたは複数のトランスデューサは、図２Ｂまたは図２Ｃに示されるように、または、カテーテル１１６から反射されて返されたエネルギー波の部分を１つもしくは複数のトランスデューサ１０４が検出することを可能にするハウジング１１８内の任意の位置に配置されてよい。
【００３３】
ここで図３Ａを参照すると、いくつかの実施形態において、カテーテル１１６の遠位先端部１３４の外表面は、カテーテル１１６の長手軸１３８に関して角度を付けられてよい１つまたは複数の外側ファセット１３６または平坦面を含んでよい。いくつかの実施形態において、ファセット１３６がエネルギー波の反射を改善してよい。追加的または代替的に、いくつかの実施形態において、カテーテル１１６の内腔１２９を形成する壁が、１つまたは複数の内側ファセット１４０を含んでよく、それによりエネルギー波の反射を改善してよい。いくつかの実施形態において、内側ファセット１４０は、誘導針１４６が患者の静脈に挿入されたときに誘導針の引き抜きより前に誘導針１４６に接触するように構成された先端部１３４の部分に対して近位にあって近接してよい。いくつかの実施形態において、遠位先端部１２４の外表面および／または内表面は、長手軸１３８に関して対称であってよい。
【００３４】
ここで図３Ｂを参照すると、いくつかの実施形態において、カテーテル１１６の遠位先端部１３４の外表面は、１つまたは複数の外側湾曲部分１４２を含んでよく、それによりエネルギー波の反射を改善してよい。追加的または代替的に、いくつかの実施形態において、カテーテル１３４の内腔１２９を形成する壁は、１つまたは複数の内側湾曲部分１４４を含んでよく、それによりエネルギー波の反射を改善してよい。いくつかの実施形態において、内側湾曲部分１１４は、導入針１４６に接触するように構成された先端部１３４の部分から近位方向にカテーテル１１６の近位端に対して延びてよい。先端部１３４の部分と導入針１４６との接触は、導入針１４６が患者の静脈に挿入されたときから導入針の引き抜きまでの間発生してよい。
【００３５】
ここで図３Ｃを参照すると、いくつかの実施形態において、遠位先端部１３４は、外側湾曲部分１４２および内側ファセット１４０を含んでよく、それによりエネルギー波の反射を改善してよい。ここで図３Ｄを参照すると、いくつかの実施形態において、遠位先端部１３４は、外側ファセット１３６および内側湾曲１４４を含んでよく、それによりエネルギー波の反射を改善してよい。
【００３６】
ここで図４を参照すると、ＩＶカテーテル閉塞または閉塞をもたらすことがあるＩＶカテーテル内の状態を検出する例示的方法２００が、ブロック２０２で開始してよく、ここでは、エネルギー波が、カテーテルアダプタに結合されたＩＶカテーテルの長さに沿って送信されてよい。いくつかの実施形態において、カテーテルおよびカテーテルアダプタは、図２Ａないし２Ｂのカテーテル１１６およびカテーテルアダプタ１２６を含んでよく、またはそれらに相当してよい。ブロック２０２はブロック２０４によって後続されてよい。
【００３７】
ブロック２０４で、カテーテルから反射されて返されたエネルギー波の部分が、対応する電気信号に変換されてよい。ブロック２０４はブロック２０６によって後続されてよい。
【００３８】
ブロック２０６で、電気信号はプロセッサで受信されてよい。ブロック２０６はブロック２０８によって後続されてよい。プロセッサは、図１のプロセッサ１０８を含み、またはそれに相当してよい。ブロック２０８で、電気信号がベースライン電気信号と比較され、電気信号とベースライン電気信号との間の差異を決定してよい。ブロック２０８はブロック２１０によって後続されてよい。
【００３９】
ブロック２１０で、電気信号とベースライン電気信号との間の差異が閾値を満たすことに応答して、ユーザは警告されてよい。
【００４０】
別個のブロックとして示されているが、様々なブロックは、所望される実装に応じて、追加のブロックに分割され、より少ないブロックに組み合わされ、または除去されてよい。いくつかの実施形態において、方法２００は追加のブロックを含んでよい。例えば、いくつかの実施形態において、方法２００は、ハウジング、トランスデューサ、およびカテーテルアダプタのうちの１つまたは複数を提供するステップを含んでよい。いくつかの実施形態において、ハウジングは、図２Ａないし２Ｂのハウジング１１８を含み、またはそれに相当してよく、トランスデューサは、図１Ａのトランスデューサ１０４を含み、またはそれに相当してよい。別の例として、いくつかの実施形態において、方法２００は、ベースライン電気信号を決定するステップを含んでよく、ベースライン電気信号を決定するステップは、静脈カテーテルが閉塞されていないとき、静脈カテーテルの長さに沿って他のエネルギー波を送信するステップと、静脈カテーテルから反射されて返された上記他のエネルギー波の部分を、ベースライン電気信号に変換するステップとを含む。
【００４１】
本発明は、本明細書において広く説明されまた以下で特許請求されるその構造、方法、または他の本質的特性から逸脱することなく、他の特定の形態で具現化されてよい。いくつかの実施形態において、図１ないし２のハウジング１１８は、カテーテルアダプタ１２６および／またはルアー装置１３２に直接結合されなくてよい。例えば、図１ないし２のシステム１００は、針安全機構を含んでよく、針安全機構は、カテーテルアダプタ１２６とハウジング１１８との間に、または別の位置で配置されてよい。別の例として、カテーテルアダプタ１２６は様々な構成を含んでよい。いくつかの実施形態において、カテーテルアダプタ１２６は、サイドポート、隔壁、隔壁アクチュエータ、または１つもしくは複数の他の要素を含んでよい。説明された実施形態および例は、すべての点で単に例示として考えられるべきであり、限定的ではない。したがって、本発明の範囲は、上記の説明ではなく、添付された特許請求の範囲によって示される。特許請求の範囲と等価な意味および範囲内に入るすべての変更は、その範囲内に含まれるべきである。
【図１Ａ】
2020512873.tif 000003
【図１Ｂ】
2020512873.tif 000004
【図２Ａ】
2020512873.tif 000005
【図２Ｂ】
2020512873.tif 000006
【図２Ｃ】
2020512873.tif 000007
【図２Ｄ】
2020512873.tif 000008
【図２Ｅ】
2020512873.tif 000009
【図３Ａ】
2020512873.tif 000010
【図３Ｂ】
2020512873.tif 000011
【図３Ｃ】
2020512873.tif 000012
【図３Ｄ】
2020512873.tif 000013
【図４】
2020512873.tif 000014
【国際調査報告】
2020512873.tif 000015
2020512873.tif 000016
2020512873.tif 000017